(57)【要約】【課題】防災機能、防草機能、および景観性を兼ね備えた、防災ブロックマットを提供すること。【解決手段】本発明の防災ブロックマットは、フィルターシートの一面に同一向きに配列した複数の防災ブロックを縦横連続して付設してなり、防災ブロックは、矩形の底面の前辺及び後辺から上方に立設する２つの導入壁と、矩形の底面の両側辺から上方に立設し、２つの導入壁の側辺を接続する２つの側壁と、２つの導入壁の上辺から相互に近接する方向に向かって延在する２つの肩面と、を有する基部と、２つの肩面の上辺から上方に立設する２つの把持壁と、２つの把持壁の上辺を接続する上面と、を有する、手指で把持するための把持凸部と、２つの導入壁の幅方向中央部から肩面にわたって凹設される把持凹部と、を備え、基部の底面と把持凹部の間に貫入層を有し、前後方向に連続する２つの防災ブロックの把持凹部によって、手指を掛けるための把持空間が形成されることを特徴とする。【選択図】図１
2019015108.tif 000002
【特許請求の範囲】
【請求項１】
フィルターシートの一面に同一向きに配列した複数の防災ブロックを縦横連続して付設してなる、防災ブロックマットであって、
前記防災ブロックは、
矩形の底面の前辺及び後辺から上方に立設する２つの導入壁と、矩形の底面の両側辺から上方に立設し、前記２つの導入壁の側辺を接続する２つの側壁と、前記２つの導入壁の上辺から相互に近接する方向に向かって延在する２つの肩面と、を有する基部と、
前記２つの肩面の上辺から上方に立設する２つの把持壁と、前記２つの把持壁の上辺を接続する上面と、を有する、手指で把持するための把持凸部と、
前記２つの導入壁の幅方向中央部から前記肩面にわたって凹設される把持凹部と、を備え、
前記基部の底面と前記把持凹部の間に貫入層を有し、
前後方向に連続する２つの防災ブロックの前記把持凹部によって、手指を掛けるための把持空間が形成されることを特徴とする、
防災ブロックマット。
【請求項２】
前記貫入層の厚さが、１ｍｍ以上２５ｍｍ以下であることを特徴とする、請求項１に記載の防災ブロックマット。
【請求項３】
前記導入壁は前記肩面側に傾斜し、前後方向に連続する２つの前記防災ブロックの前記導入壁の間に、導入溝が形成されることを特徴とする、請求項１又は２に記載の防災ブロックマット。
【発明の詳細な説明】
【技術分野】
【０００１】
本発明はブロックマットに関し、特に防災機能、防草機能、および景観性を兼ね備えた防災ブロックマットに関する。
【背景技術】
【０００２】
ブロックマットは、樹脂製不織布シートの一面にコンクリートブロックを連続配置してなり、海岸、河川、ため池等の法面に敷設することで、護岸や法面の安定化を図ることができる。特許文献１及び２には、ブロックマットにかかる従来技術が開示されている。
近年、ため池周辺の都市化や混住化に伴い、ため池への落下による溺水事故の危険性が増加している。これを受けて、農林水産省では、ため池の安全対策として、人が誤って転落した場合に容易にはい上がれる護岸を求めている（非特許文献１）。
同様の事故は海岸や河川でも発生しており、滑落者が自力で這い上がることを補助する、防災機能を備えたブロックマットが求められている。
【先行技術文献】
【特許文献】
【０００３】
【特許文献１】特開２０１０−２６５６６７号公報
【特許文献２】特開２０１１−２６９４７号公報
【非特許文献】
【０００４】
【非特許文献１】「ため池の安全対策事例集（農林水産省農村振興局防災課：平成２５年５月）」http://www.maff.go.jp/j/nousin/bousai/bousai_saigai/b_tameike/pdf/tameike_manual_2_part2_2.pdf
【発明の概要】
【発明が解決しようとする課題】
【０００５】
従来技術には、次のような課題がある。
＜１＞ブロックの形状が複雑であり、滑落者が安定して手指を掛ける部分がないため手指に力が入らず、水中から這い上がりにくい。
＜２＞連続するブロック間にアンカー打設用の隙間を有するため、シート材を超えて草が繁茂しやすい。このため、視界不足による転落の危険性があるとともに、草刈りなどの維持管理費用の負担が大きい。
【課題を解決するための手段】
【０００６】
以上の課題を解決する本発明の防災ブロックマットは、フィルターシートの一面に同一向きに配列した複数の防災ブロックを縦横連続して付設してなり、防災ブロックは、矩形の底面の前辺及び後辺から上方に立設する２つの導入壁と、矩形の底面の両側辺から上方に立設し、２つの導入壁の側辺を接続する２つの側壁と、２つの導入壁の上辺から相互に近接する方向に向かって延在する２つの肩面と、を有する基部と、２つの肩面の上辺から上方に立設する２つの把持壁と、２つの把持壁の上辺を接続する上面と、を有する、手指で把持するための把持凸部と、２つの導入壁の幅方向中央部から肩面にわたって凹設される把持凹部と、を備え、基部の底面と把持凹部の間に貫入層を有し、前後方向に連続する２つの防災ブロックの把持凹部によって、手指を掛けるための把持空間が形成されることを特徴とする。
各防災ブロックは、法長方向に這い上がれる形状を備える。
【０００７】
本発明の防災ブロックマットは、貫入層の厚さが、１ｍｍ以上２５ｍｍ以下であってもよい。
【０００８】
本発明の防災ブロックマットは、導入壁が肩面側に傾斜し、前後方向に連続する２つの防災ブロックの導入壁の間に、導入溝が形成されてもよい。
【発明の効果】
【０００９】
本発明の防災ブロックマットは、以上の構成より次の効果のうち少なくとも一つを備える。
＜１＞深い把持空間と幅広く平坦な壁面の組合せによって、滑落者が手指に力を入れ易い。このため、滑落者の這い上がりが容易であり、溺水事故を有効に防止できる。
＜２＞防災ブロックの底面が完全な矩形を呈し、隣接する防災ブロック間に隙間を作らないため、草の繁茂を防止することができる。このため、視界不足による転落を防止できる。また、維持管理負担も少ない。
＜３＞アンカーピンの打設が容易であり、打設後アンカーピンが導入溝内に隠れるため、景観性に優れる。
【図面の簡単な説明】
【００１０】
【図１】本発明に係る防災ブロックマットの説明図。
【図２】防災ブロックの説明図。
【図３】把持空間の説明図。
【図４】導入溝の説明図。
【図５】導入溝の説明図。
【発明を実施するための形態】
【００１１】
以下、図面を参照しながら本発明の防災ブロックマットについて詳細に説明する。なお、本明細書等において「前」「後」「左」「右」「上」「下」等の各方位は、供用時の傾斜方向を前後方向に配して、防災ブロックマットを平面状に付設した状態における各方位を表す。
【実施例１】
【００１２】
[防災ブロックマット]
＜１＞全体の構成（図１）。
本発明の防災ブロックマットＡは、フィルターシート２の一面に、同一向きに配列した複数の防災ブロック１を縦横に連続して付設してなる。
ここで「連続して」とは、隣接する防災ブロック１同士を密着させる場合の他、防災ブロック１間に僅かな隙間を有する場合も含む。
各防災ブロック１は底面がフィルターシート２の表面に一体に固定される。
本発明の防災ブロックマットＡは、各防災ブロック１が、凹凸形状を呈するため、手指や足が掛けやすく、滑落者の法長方向への這い上がりを補助することができる。
【００１３】
＜２＞防災ブロック（図２）。
防災ブロック１は、フィルターシート２の表面を被覆する、コンクリートブロック体である。
防災ブロック１の形状は、平面視において矩形形状、正面視において上辺を短辺とする台形状、側面視において略凸字形状である。
本例では、滑落者の手指を掛けやすいサイズとして、平面視を一辺約２００ｍｍの正方形とするが、これに限られない。
防災ブロック１は、基部１０、把持凸部２０、把持凹部３０、を備え、基部１０の前後方向中央から上方に把持凸部２０が突起し、基部１０の前後に把持凹部が凹設される。
【００１４】
＜２．１＞基部。
基部１０は、前後面の２つの導入壁１１と、左右面の２つの側壁１３と、矩形の底面１４と、導入壁１１の上辺から相互に近接する方向に向かって延在する２つの肩面１２と、を備える。導入壁１１を肩面１２側に僅かに傾斜させ、導入壁１１と肩面１２との間を緩やかなＲ形状とするのが望ましい。
導入壁１１の幅方向中央には把持凹部３０が形成され、把持凹部３０の底部と底面１４との間に、貫入層１５が確保される。
肩面１２の上辺は把持凸部２０の下部に接続し、側壁１３は把持凸部２０の側面に及ぶ。
底面１４の四隅は、従来技術のようにアンカーピン打設用のＲ加工を行わず、直角形状を呈する。
【００１５】
＜２．１．１＞貫入層。
貫入層１５は、防災ブロックマットＡ固定用のアンカーピンＤを貫入するための薄層である。
貫入層１５の厚さは、アンカーピンＤの貫入が容易であって、かつ外部応力による破損に耐えうる程度の厚さとする。概ね１ｍｍ以上２５ｍｍ以下とするのが望ましい。本例では、貫入層１５の厚みが、開口側に向かって薄くなるテーパー形状を呈する。
従来技術は、ブロックがアンカーピン打設用の隙間を備えていた。このため、ブロックを連続して敷設しても、ブロック間の隙間から草が繁茂していた。
これに対し本願の防災ブロックマットＡは、防災ブロック１が貫通式の貫入層１５を備え、アンカーピンＤ打設用の隙間を有さない。このため、防災ブロック１がフィルターシート２の表面全体を被覆できるので、草の繁茂を防止することができる。
なお、隣接する防災ブロック１間に僅かな隙間がある場合も、隙間にはコンクリートのノロが付着して薄層を形成するため、密着させた場合と同等の防草効果を発揮できる。
【００１６】
＜２．２＞把持凸部。
把持凸部２０は、滑落者が把持するための突起部である。
把持凸部２０は、前後面の２つの把持壁２１と、頂面の上面２２と、を備える。把持壁２１と上面２２との間は、緩やかなＲ形状とするのが望ましい。
把持凸部２０の側面は側壁１３と連続する。
把持壁２１は、滑落者の手指がかかりやすいように２０〜３０ｍｍ程度の高さを確保するのが望ましい。
上面２２は、滑落者の手のひらが密着するように平坦な形状とするのが望ましい。
【００１７】
＜２．３＞把持凹部。
把持凹部３０は、滑落者が把持するための凹部である。
把持凹部３０は、基部１０の前後両側において、導入壁１１の幅方向中央部から肩面１２にわたって形成する。
滑落者の手指がかかりやすいように、把持凹部３０は、幅を５０〜１００ｍｍ、深さを１０〜５０ｍｍ程度とすることができる。
ただしこれに限られず、手指がかかる範囲であれば、例えば幅を最大１９０ｍｍ、深さを最大９５ｍｍ程度まで広げてもよい。
【００１８】
＜３＞フィルターシート。
フィルターシート２は、法面の吸出し防止機能を備えるシート材である。
本例では、ポリエステル製不織布のフィルターシートを採用する。但し、素材はこれに限られず、ポリエステルやポリエチレン等の化学繊維であってもよい。また、不織布でなく、織物や編物等であってもよい。
【００１９】
＜４＞把持空間（図３）。
前後方向に連続する２つの把持凹部３０によって、防災ブロック１の間に滑落者が手指を掛けるための把持空間Ｂが形成される。
滑落者が防災ブロック１に掴まると、滑落者の手指が把持空間Ｂ内に入りこみ、把持凹部３０の内壁に掛かる。
把持空間Ｂから滑り出た手指も、幅広な把持凸部２０の把持壁２１に掛かる。
同時に、手のひらが平坦な把持凸部２０の上面２２に密着し、滑落を防止する。
また、滑落者の靴先も把持空間Ｂ内や把持壁２１に掛けることができる。
以上の各機能の組合せによって、滑落者の水上への這い上がりを補助し、水中に落下した人の生命が助かる可能性を高めることができる。
【００２０】
＜５＞導入溝（図４、５）。
前後方向に連続する２つの防災ブロック１の導入壁１１の間に、断面Ｖ字形状の導入溝Ｃが形成される。
本発明の防災ブロックマットＡは、コの字形状のアンカーピンＤで、隣接する防災ブロック１の貫入層１５とフィルターシート２を打ち抜いて地盤まで貫通させることで法面に固定する（図４（ａ））。
アンカーピンＤの打設の際、アンカーピンＤの長手部が導入溝Ｃ内にガイドされるため、ピン先端部を所定の位置に位置決めすることができる。よって、固定作業の作業効率が良い（図５）。
また、打設後のアンカーピンＤが導入溝Ｃ内に収納され目立たないため、景観性に優れる（図４（ｂ））。
【符号の説明】
【００２１】
Ａ    防災ブロックマット
１    防災ブロック
１０  基部
１１  導入壁
１２  肩面
１３  側壁
１４  底面
１５  貫入層
２０  把持凸部
２１  把持壁
２２  上面
３０  把持凹部
２    フィルターシート
Ｂ    把持空間
Ｃ    導入溝
Ｄ    アンカーピン
【図１】
2019015108.tif 000003
【図２】
2019015108.tif 000004
【図３】
2019015108.tif 000005
【図４】
2019015108.tif 000006
【図５】
2019015108.tif 000007